(57)【特許請求の範囲】
【請求項１】
装置本体と表示部とを備えている走行ペース表示装置において、
走行時間を計測する計時手段と、
予め定められている地点通過をする際に操作される操作手段と、
この操作手段が操作された場合に、前記計時手段により計測された当該操作手段が前回操作された時点からの走行時間と、予め定められた走行ペースとに基づいて、前記地点に対応する距離を計算し、計算された当該距離をこの地点に対応する距離に補正する距離計算手段と、
この距離計算手段により計算された距離と、前記計時手段により計測された走行時間とに基づいて、前記操作手段が操作される直前の走行ペースを計算する走行ペース計算手段と、
この走行ペース計算手段により計算された直前の走行ペースの表示を前記操作手段が操作された直後に行う表示制御手段と、
を備えることを特徴とする走行ペース表示装置。
【請求項２】
装置本体と表示部とを備えている走行ペース表示装置において、
走行時間を計測する計時手段と、
予め定められている地点通過をする際に操作される操作手段と、
この操作手段が操作された場合に、前記計時手段により計測された当該操作手段が前回操作された時点からの走行時間と、予め定められた走行ペースとに基づいて、前記地点通過に対応する距離を計算する距離計算手段と、
この距離計算手段により計算された距離と、前記計時手段により計測された走行時間とに基づいて、前記操作手段が操作される直前の走行ペースを計算する走行ペース計算手段と、
この走行ペース計算手段により計算された直前の走行ペースの表示を前記操作手段が操作された直後に行う表示制御手段とを備え、
前記距離計算手段は、
前記計時手段により計測された当該操作手段が前回操作された時点からの走行時間を前記予め定められた走行ペースで除算する除算手段と、
この除算手段により除算した算出値の端数の除去又は繰り上げを行い、この結果値を前記地点通過に対応する距離として処理する端数処理手段とを有することを特徴とする走行ペース表示装置。
【請求項３】
前記表示制御手段の制御により表示された距離を変更するために操作される変更操作手段と、
この変更操作手段により変更された距離を表示させる変更距離表示制御手段と、
を更に備えたことを特徴とする請求項１または２記載の走行ペース表示装置。
【請求項４】
走行時間を計測する計時手段と、
予め定められている地点通過をする際にユーザにより操作される第1の操作手段と、
この第1の操作手段が操作された場合に前記計時手段により計測された当該第１の操作手段が操作された前回の地点通過時点からの走行時間と予め定められた走行ペースとに基づいて、前記地点通過に対応する距離を計算する距離計算手段と、
この距離計算手段により計算された距離と、前記計時手段により計測された走行時間とに基づいて、前記操作手段が操作される直前の走行ペースを計算する第1の走行ペース計算手段と、
この第１の走行ペース計算手段により計算された直前の走行ペースの表示を前記操作手段が操作された直後に行う第１の表示制御手段と、
この第１の表示制御手段の制御により前記地点通過に対応する距離を表示したあとに、この距離を変更するためにユーザにより操作される第２の操作手段と、
この第２の操作手段の操作がなされた際に、この変更された距離に基づいた新たな走行ペースを計算する第２の走行ペース計算手段と、
この第２の走行ペース計算手段により計算された新たな走行ペースを前記第２の操作手段が操作された直後に表示させる第２の表示制御手段とを備え、
前記距離計算手段は、
前記計時手段により計測された当該操作手段が前回操作された時点からの走行時間を前記予め定められた走行ペースで除算する除算手段と、
この除算手段により除算した算出値の端数の除去又は繰り上げを行い、この結果値を前記地点通過に対応する距離として処理する端数処理手段とを有することを特徴とする走行ペース表示装置。
【請求項５】
前記第２の操作手段は、
前記地点通過に対応する距離より長い距離に一段ずつ修正していくアップ操作部と、
前記地点通過に対応する距離より短い距離に一段ずつ修正していくダウン操作部とを備えていることを特徴とする請求項４記載の走行ペース表示装置。
【請求項６】
装置本体と表示部とを備えている走行ペース表示装置において、
走行時間を計測する計時手段と、
ゴール地点で操作される操作手段と、
この操作手段が操作された場合に、前記計時手段により計測された当該操作手段が前回操作された時点からの走行時間と予め定められた走行ペースとに基づいて、前記ゴール地点通過に対応する距離を計算する距離計算手段と、
この距離計算手段により計算された距離と、前記計時手段により計測された走行時間とに基づいて、前記操作手段が操作される直前の走行ペースを計算する走行ペース計算手段と、
前記ゴール地点通過に対応する走行ペースの表示を行う表示制御手段とを備え、
前記距離計算手段は、
前記計時手段により計測された当該操作手段が前回操作された時点からの走行時間を前記予め定められた走行ペースで除算する除算手段と、
この除算手段により除算した算出値の端数の除去又は繰り上げを行い、この結果値を前記地点通過に対応する距離として処理する端数処理手段とを有することを特徴とする走行ペース表示装置。
【請求項７】
走行する前に前記予め定められた走行ペースを入力する入力手段をさらに備えたことを特徴とする請求項１〜６のいずれか１項に記載の走行ペース表示装置。
【請求項８】
前記距離計算手段は、前記走行ペース計算手段により操作手段が操作される直前の走行ペースが算出されている場合に、この走行ペースを新たに前記予め定められた走行ペースとして用いて前記地点通過に対応する距離を計算するように構成されていることを特徴とする請求項１または２記載の走行ペース表示装置。
【請求項９】
請求項１〜８の何れか１項に記載の走行ペース表示装置を備え、
装置本体が腕に装着される腕装着型に形成されていることを特徴とする腕装着型装置。
【請求項１０】
表示手段と走行時間を計測する計時手段と予め定められている地点通過をする際に操作される操作手段とを備えている走行ペース表示装置の走行ペース表示方法において、
この操作手段が操作された場合に、前記計時手段により計測された当該操作手段が前回操作された時点からの走行時間と、予め定められた走行ペースとに基づいて、前記地点に対応する距離を計算し、計算された当該距離をこの地点に対応する距離に補正する距離計算工程と、
この距離計算工程により計算された距離と、前記計時手段により計測された走行時間とに基づいて、前記操作手段が操作される直前の走行ペースを計算する走行ペース計算工程と、
この走行ペース計算工程により計算された直前の走行ペースの表示を前記操作手段が操作された直後に行う表示制御工程と、
を備えることを特徴とする走行ペース表示方法。
【発明の詳細な説明】
【技術分野】
【０００１】
この発明は、走行ペースの表示を行う走行ペース表示装置、腕装着型装置および走行ペース表示方法に関する。
【背景技術】
【０００２】
例えば、マラソンなどの競技において、スタートから任意の地点を通過したタイミングまでの経過時間（スプリットタイムと呼ぶ）や、任意の区間の走行にかかった時間（ラップタイムと呼ぶ）を計測表示するストップウォッチ装置、或いは、このような機能を備えた腕装着型装置としての電子時計がある。
【０００３】
また、このようなストップウォッチ装置において、ユーザがトータルの目標時間を入力することで、ユーザに合った区間毎の目標時間を自動的に求めて、ユーザに表示する機能の提案もなされている（例えば、特許文献１）。
【特許文献１】特開平９−６１５５８号公報
【発明の開示】
【発明が解決しようとする課題】
【０００４】
通常、マラソンランナーは、自分や他人の走行ペースを表わすのに、「キロ６分」「キロ４分半」などと単位距離の走行時間を用いて表現し、レース中もこのペースを考慮しながら走ることが多い。
【０００５】
上記の走行ペースは、２点間を走るのに要した時間をその２点間の距離で割って算出することができるが、このような演算を装置に行わせるためには、例えば装置にＧＰＳ（全地球測位システム）などを搭載し、この測位モジュールによって任意の２点間の距離を測定して、２点間の走行時間を測定距離で除算して求める必要がある。しかしながら、測位モジュールの搭載は、装置を大型化させ、また、製品コストも高騰させる。
【０００６】
また、測位モジュールを搭載しない装置の場合、ユーザは、例えば、コース中の「〜キロ地点」の距離表示等を頼りに、距離が既知となる区間のラップタイムをストップウォッチ装置により計測するとともに、距離表示から暗算により区間距離を求め、さらに、上記のラップタイムを区間距離で割って走行ペースを求めるしかなかった。
【０００７】
この発明の目的は、測位モジュールなどを用いずに、簡単な操作で走行ペースの測定結果をユーザに提示することが可能な走行ペース表示装置、腕装着型装置および走行ペース表示方法を提供することにある。
【課題を解決するための手段】
【０００８】
上記目的を達成するため、請求項１記載の発明は、
装置本体と表示部とを備えている走行ペース表示装置において、
走行時間を計測する計時手段と、
予め定められている地点通過をする際に操作される操作手段と、
この操作手段が操作された場合に、前記計時手段により計測された当該操作手段が前回操作された時点からの走行時間と、予め定められた走行ペースとに基づいて、前記地点に対応する距離を計算し、計算された当該距離をこの地点に対応する距離に補正する距離計算手段と、
この距離計算手段により計算された距離と、前記計時手段により計測された走行時間とに基づいて、前記操作手段が操作される直前の走行ペースを計算する走行ペース計算手段と、
この走行ペース計算手段により計算された直前の走行ペースの表示を前記操作手段が操作された直後に行う表示制御手段と、
を備えることを特徴とする走行ペース表示装置である。
請求項２記載の発明は、
装置本体と表示部とを備えている走行ペース表示装置において、
走行時間を計測する計時手段と、
予め定められている地点通過をする際に操作される操作手段と、
この操作手段が操作された場合に、前記計時手段により計測された当該操作手段が前回操作された時点からの走行時間と、予め定められた走行ペースとに基づいて、前記地点通過に対応する距離を計算する距離計算手段と、
この距離計算手段により計算された距離と、前記計時手段により計測された走行時間とに基づいて、前記操作手段が操作される直前の走行ペースを計算する走行ペース計算手段と、
この走行ペース計算手段により計算された直前の走行ペースの表示を前記操作手段が操作された直後に行う表示制御手段とを備え、
前記距離計算手段は、
前記計時手段により計測された当該操作手段が前回操作された時点からの走行時間を前記予め定められた走行ペースで除算する除算手段と、
この除算手段により除算した算出値の端数の除去又は繰り上げを行い、この結果値を前記地点通過に対応する距離として処理する端数処理手段とを有することを特徴とする走行ペース表示装置である。
【００１０】
請求項３記載の発明は、請求項１または２記載の走行ペース表示装置において、
前記表示制御手段の制御により表示された距離を変更するために操作される変更操作手段と、
この変更操作手段により変更された距離を表示させる変更距離表示制御手段と、
を更に備えたことを特徴としている。
【００１１】
請求項４記載の発明は、
走行時間を計測する計時手段と、
予め定められている地点通過をする際にユーザにより操作される第1の操作手段と、
この第1の操作手段が操作された場合に前記計時手段により計測された当該第１の操作手段が操作された前回の地点通過時点からの走行時間と予め定められた走行ペースとに基づいて、前記地点通過に対応する距離を計算する距離計算手段と、
この距離計算手段により計算された距離と、前記計時手段により計測された走行時間とに基づいて、前記操作手段が操作される直前の走行ペースを計算する第1の走行ペース計算手段と、
この第１の走行ペース計算手段により計算された直前の走行ペースの表示を前記操作手段が操作された直後に行う第１の表示制御手段と、
この第１の表示制御手段の制御により前記地点通過に対応する距離を表示したあとに、この距離を変更するためにユーザにより操作される第２の操作手段と、
この第２の操作手段の操作がなされた際に、この変更された距離に基づいた新たな走行ペースを計算する第２の走行ペース計算手段と、
この第２の走行ペース計算手段により計算された新たな走行ペースを前記第２の操作手段が操作された直後に表示させる第２の表示制御手段とを備え、
前記距離計算手段は、
前記計時手段により計測された当該操作手段が前回操作された時点からの走行時間を前記予め定められた走行ペースで除算する除算手段と、
この除算手段により除算した算出値の端数の除去又は繰り上げを行い、この結果値を前記地点通過に対応する距離として処理する端数処理手段とを有することを特徴とする走行ペース表示装置である。
【００１５】
請求項５記載の発明は、請求項４記載の走行ペース表示装置において、
前記第２の操作手段は、
前記地点通過に対応する距離より長い距離に一段ずつ修正していくアップ操作部と、
前記地点通過に対応する距離より短い距離に一段ずつ修正していくダウン操作部とを備えていることを特徴としている。
【００１６】
請求項６記載の発明は、
装置本体と表示部とを備えている走行ペース表示装置において、
走行時間を計測する計時手段と、
ゴール地点で操作される操作手段と、
この操作手段が操作された場合に、前記計時手段により計測された当該操作手段が前回操作された時点からの走行時間と予め定められた走行ペースとに基づいて、前記ゴール地点通過に対応する距離を計算する距離計算手段と、
この距離計算手段により計算された距離と、前記計時手段により計測された走行時間とに基づいて、前記操作手段が操作される直前の走行ペースを計算する走行ペース計算手段と、
前記ゴール地点通過に対応する走行ペースの表示を行う表示制御手段とを備え、
前記距離計算手段は、
前記計時手段により計測された当該操作手段が前回操作された時点からの走行時間を前記予め定められた走行ペースで除算する除算手段と、
この除算手段により除算した算出値の端数の除去又は繰り上げを行い、この結果値を前記地点通過に対応する距離として処理する端数処理手段とを有することを特徴とする走行ペース表示装置である。
請求項７記載の発明は、請求項１〜６のいずれか１項に記載の走行ペース表示装置において、
走行する前に前記予め定められた走行ペースを入力する入力手段をさらに備えたことを特徴としている。
【００１７】
請求項８記載の発明は、請求項１または２記載の走行ペース表示装置において、
前記距離計算手段は、前記走行ペース計算手段により操作手段が操作される直前の走行ペースが算出されている場合に、この走行ペースを新たに前記予め定められた走行ペースとして用いて前記地点通過に対応する距離を計算するように構成されていることを特徴としている。
【００１８】
請求項９記載の発明は、
請求項１〜８の何れか１項に記載の走行ペース表示装置を備え、
装置本体が腕に装着される腕装着型に形成されていることを特徴とする腕装着型装置である。
請求項１０記載の発明は、
表示手段と走行時間を計測する計時手段と予め定められている地点通過をする際に操作される操作手段とを備えている走行ペース表示装置の走行ペース表示方法において、
この操作手段が操作された場合に、前記計時手段により計測された当該操作手段が前回操作された時点からの走行時間と、予め定められた走行ペースとに基づいて、前記地点に対応する距離を計算し、計算された当該距離をこの地点に対応する距離に補正する距離計算工程と、
この距離計算工程により計算された距離と、前記計時手段により計測された走行時間とに基づいて、前記操作手段が操作される直前の走行ペースを計算する走行ペース計算工程と、
この走行ペース計算工程により計算された直前の走行ペースの表示を前記操作手段が操作された直後に行う表示制御工程と、
を備えることを特徴とする走行ペース表示方法である。
【発明の効果】
【００１９】
本発明に従うと、例えば、マラソンのコース中に設置される「〜キロ地点」などの距離表示を頼りに、ユーザがその地点を通過する際に操作手段を操作することで、装置内でその地点の距離が自動的に計算され、それにより、例えば、スタートからのトータルの走行ペースや距離表示のある地点間の走行ペースなどを自動的に計算してユーザに提示することができる。
【００２０】
また、装置により計算された距離が間違っていた場合にユーザにより修正可能な操作手段を備えることで、例えばユーザの走行ペースが想定されるペースから大きく逸脱している場合でも、ユーザが簡単な操作で距離計算の修正を行って、それにより正確な走行ペースの算出を行わせることができる。
【発明を実施するための最良の形態】
【００２１】
以下、本発明の実施の形態を図面に基づいて説明する。
【００２２】
［第１実施形態］
図１は、本発明の第１実施形態の走行ペース表示制御装置を有する電子時計の内部構成を示すブロック図、図２は、この電子時計の外観を示す正面図である。
【００２３】
第１実施形態の電子時計１は、例えばマラソン競技者等により使用される腕時計型の電子時計であり、その内部には、装置の全体的な制御を行うＣＰＵ（中央演算処理装置）１０と、ＣＰＵ１０により実行される制御プログラムや制御データが格納されるＲＯＭ（Read Only Memory）１３と、ＣＰＵ１０に作業用のメモリ空間を提供するＲＡＭ（Random Access Memory）１４と、これらの間でデータを伝送するバス１７と、時間表示や計測表示等の種々の表示を行う液晶パネルなどの表示部１２と、表示部１２を駆動する表示駆動回路１１と、複数のスイッチＳＷ１〜ＳＷ５を有しユーザ操作によって信号入力を行う操作部１８と、計時を行うための計時回路１５および発振回路１６等が設けられている。
【００２４】
計時回路１５には、例えば、年月日時分秒などの現在時刻を計時するための日時カウンタ１５ａと、ストップウォッチの機能動作時にスタートからの時間を計時する計測時間カウンタ１５ｂとが設けられ、ＣＰＵ１０の制御と発振回路１６から供給される発振信号とに基づき各カウンタにより計時動作が行われるようになっている。
【００２５】
図２に示すように、この電子時計１は、正面側に上記表示部１２が風防ガラスに覆われて露出されているとともに、正面部の上側と下側とにスイッチＢ１とスイッチＢ２が設けられている。また、側面部にスイッチＢ３〜Ｂ５が設けられている。これらのスイッチＢ１〜Ｂ５は、上記操作部１８のスイッチＳＷ１〜ＳＷ５をオン・オフする操作部を構成するものである。
【００２６】
表示部１２は、特に制限されるものではないが、例えば、上下２段の表示領域１２ａ，１２ｂと１２ｃに分割され、さらに、上段には左右に２つの表示領域１２ａ，１２ｂが設けられている。時計モードの場合には、図２に示すように、表示領域１２ａに西暦年が、表示領域１２ｂに月日が、表示領域１２ｃに時分秒が表示されるようになっている。
【００２７】
次に、上記構成の電子時計１の動作説明を行う。
【００２８】
図３には、ＣＰＵ１０により実行されるメイン制御処理のフローチャートを示す。
【００２９】
この実施形態の電子時計１においては、電源投入時からこのメイン制御処理が開始され、そのステップＳ１〜Ｓ６のループ処理が繰り返し実行されるようになっている。
すなわち、ループ処理では、先ず、モードスイッチＢ３の出力を読み取り、この出力に基づいてＲＡＭ１４のモード設定領域の情報を切り替える（ステップＳ１）。例えば、モードスイッチＢ３が長押しされて一定時間以上のオン信号が入力されれば、ＣＰＵ１０はＲＡＭ１４のモード設定領域を、ペース設定モードを示す情報に書き換え、スイッチＳＷ３の出力が短時間オン状態であればＣＰＵ１０はＲＡＭ１４のモード設定領域を、ストップウォッチモードを示す情報に書き換え、スイッチＳＷ３の出力がオフ信号のままであればＲＡＭ１４のモード設定領域の情報をそのままとする。
【００３０】
続いて、上記のように設定されたＲＡＭ１４のモード設定領域に格納されたモード情報に従って各モードの処理ルーチンに分岐する（ステップＳ２，Ｓ３）。
【００３１】
すなわち、ＲＡＭ１４のモード設定領域の情報がペース設定モードになっていればステップＳ４のペース設定ルーチン（図４）に移行し、ストップウォッチモードになっていればステップＳ５のストップウォッチ動作ルーチン(図６)に移行し、時計モードになっていればステップＳ６の日時等の表示ルーチン（図２）に移行する。
【００３２】
そして、この分岐後のルーチン（ステップＳ４〜Ｓ６）を遂行したら、再びステップＳ１に戻って、これらのステップＳ１〜Ｓ６のループ処理を繰り返す。つまり、このメイン制御処理によって、ユーザがスイッチＢ３を操作してペース設定モードやストップウォッチモードに移行して、これらの処理を実行させることが可能になっている。
【００３３】
図４には、上記メイン制御処理のステップＳ４で実行されるペース設定ルーチンのフローチャートを、図５には、ペース設定モードにおける表示内容の一例を表わした正面図を示す。
【００３４】
ペース設定ルーチンは、後述の距離推定の演算に使用される個人ペース設定値をユーザにより装置に設定させる処理である。個人ペース設定値は、自分の想定される走行ペースを表わすもので、例えば、１ｋｍの走行時間「何分何秒」として表されるものである。スイッチＢ１〜Ｂ５のいずれかのキー操作により設定入力された個人ペース設定値は、例えば、ＲＡＭ１４の領域１４ａに格納される。
【００３５】
ペース設定ルーチンに移行すると、先ず、現在ＲＡＭ１４の領域１４ａに格納されている個人ペース設定値を読み出して、これを表示部１２に出力させる（ステップＳ１１）。
【００３６】
図５に示すように、個人ペース設定値は、例えば、「４’５０”」と表示部１２の第２表示領域１２ｂに表示され、また、個人ペース設定値の表示中には１ｋｍの走行時間であることを示すために、第１表示領域１２ａに「１ｋｍ」の表示がなされ、第２表示領域１２ｂの上下には「PERSONAL PACE」等の題目表示と、「／ｋｍ」等の単位表示がなされるようになっている。
【００３７】
上記のような表示出力を行ったら、次に、操作部１８からの入力に応じた分岐処理を行う（ステップＳ１２〜Ｓ１５）。すなわち、スクロールアップスイッチＢ４の入力に応じた判別（ステップＳ１２）、スクロールダウンスイッチＢ５の入力に応じた判別（ステップＳ１３）、モードスイッチＢ３の入力に応じた判別（ステップＳ１４）、或いは、一定時間スイッチ入力がない場合の判別（ステップＳ１５）を行う。
【００３８】
そして、スクロールアップスイッチＢ４が押されていれば、ステップＳ１２の判別処理でイエス側に分岐して、個人ペース設定値を１秒ずつ加算する処理を行う（ステップＳ１２）。そして、加算処理が済んだらステップＳ１１に戻る。これらの処理により、ユーザはスクロールアップスイッチＢ４を間欠的に押したり連続的に押し続けたりすることで、ＲＡＭ１４に設定されている個人ペース設定値を逐次大きな値にしていくことができる。
【００３９】
一方、スクロールダウンスイッチＢ５が押されていれば、ステップＳ１３の判別処理でイエス側に分岐して、個人ペース設定値を１秒ずつ減算する処理を行う（ステップＳ１７）。そして、減算処理が済んだらステップＳ１１に戻る。このような処理により、ユーザはスクロールダウンスイッチＢ５を間歇的に押したり連続的に押し続けたりすることで、ＲＡＭ１４に設定されている個人ペース設定値を逐次小さな値にしていくことができる。
【００４０】
さらに、モードスイッチＢ３が押されたか、或いは、一定時間以上のスイッチ入力がない場合には、ステップＳ１４，Ｓ１５の判別処理でステップＳ１８に分岐して、次に時計モードに移行するためにＲＡＭ１４中のモード設定領域に時計モードを示すデータを書き込む（ステップＳ１８）。そして、このペース設定ルーチンを終了する。一方、ステップＳ１２〜Ｓ１５の判別処理の何れもノーであればステップＳ１１に戻って、再び、ステップＳ１１からのループ処理を繰り返す。
【００４１】
つまり、このペース設定ルーチンにより、ユーザは表示部１２の表示を見ながら、スクロールアップスイッチＢ４とスクロールダウンスイッチＢ５を押すことで、距離推定に必要な個人ペース設定値を１秒単位で設定変更できるようになっている。そして、設定が済んだらスイッチＢ３を押すか、一定時間放置することでペース設定ルーチンを抜けて時計モードに戻るようになっている。
【００４２】
図６には、メイン制御処理（図３）のステップＳ５で実行されるストップウォッチ動作ルーチンのフローチャートを、図７には、ストップウォッチ動作中の表示内容の一例を示す。
【００４３】
ストップウォッチ機能は、例えば、スタート／ストップスイッチＢ１を押すことで計測時間カウンタ１５ｂの計時をスタートさせたりストップさせたりして、スタートからストップまでの時間を計測するものである。さらに、この実施形態のストップウォッチ機能においては、後に詳述するが、ユーザが、例えば「３ｋｍ地点」や「７ｋｍ地点」などの距離表示の地点を通過した際にスプリットスイッチＢ２を押すことで、その時点の走行距離の推定演算や走行ペースの演算が行われて、その推定距離や走行ペースの表示が行われるようになっている。
【００４４】
ストップウォッチ動作ルーチンに移行すると、先ず、計時回路１５の計測時間カウンタ１５ｂの値の表示処理を行う（ステップＳ２１）。例えば、計測のスタート前には計測時間カウンタ１５ｂの値はゼロなので、表示領域１２ｃに「００：００’００”」の表示が行われる。また、計測のスタート後にはカウントアップされていく計測時間カウンタ１５ｂの値が表示される。
【００４５】
表示処理をしたら、次いで、スイッチ操作の入力確認を行う（ステップＳ２２〜Ｓ２４）。すなわち、スタート／ストップスイッチＢ１の押下、例えば「３ｋｍ地点」や「７ｋｍ地点」などの距離表示の地点を通過した際にユーザにより操作されると想定されるスプリットスイッチＢ２の押下、モードスイッチＢ３の押下を確認し、これらの押下がなければステップＳ２１に戻って、ステップＳ２１〜Ｓ２４のループ処理を繰り返し実行する。一方、何れかのスイッチＢ１〜Ｂ３が押下されれば、それらに応じた分岐処理を行う。
【００４６】
その結果、スタート／ストップスイッチＢ１の押下が確認されたら、ステップＳ２２の判別処理でイエス側に分岐し、先ず、今現在、ストップウォッチの計測中か否かを判別する（ステップＳ２５）。そして、計測中でないと判断されたら、スイッチＢ１の押下は計測スタートの要求を表わすものと認識して、ストップウォッチ機能に使用する各種変数等の初期化を行い（ステップＳ２６）、続いて、計時回路１５の計測時間カウンタ１５ｂをカウントアップ状態にして計測を開始させる（ステップＳ２７）。そして、ステップＳ２１に戻る。
【００４７】
一方、ステップＳ２５で計測中であると判別されたら、スタート／ストップスイッチＢ１の押下は計測ストップの要求を表わすものと認識して、先ず、計時時間カウンタ１５ｂの値を最後のスプリットタイムとして記憶し（ステップＳ２８）、前回のスプリットスイッチＢ２の押下時からの走行ペースの計算処理を行い（ステップＳ２９：後に詳述）、次いで、計時時間カウンタ１５ｂを停止させる（ステップＳ３０）。そして、ステップＳ２１に戻って、停止時のカウンタ値を表示する。
【００４８】
また、ステップＳ２３のスイッチ操作の判別処理において、スプリットスイッチＢ２の押下が確認された場合には、まず、この時点での計時時間カウンタ１５ｂの値を読み込んでこの値をスプリットタイムとして記憶する（ステップＳ３１）。そして、このスプリットタイムの値から前回のスプリットスイッチＢ２の押下時からの走行ペースの計算処理を行い（ステップＳ３２：後に詳述）、ステップＳ２１に戻る。
【００４９】
また、ステップＳ２４のスイッチ操作の判別処理において、モードスイッチＢ３の押下が確認された場合には、このストップウォッチ動作ルーチンのループ処理を抜けて、次に時計モードに移行するためにＲＡＭ１４中のモード設定領域に時計モードを示すデータを書き込む（ステップＳ３３）。そして、このストップウォッチ動作ルーチンを終了する。
【００５０】
図８には、ストップウォッチ動作ルーチン（図６）のステップＳ２９，Ｓ３２において実行されるペース計算ルーチンのフローチャートを、図９には、ペース計算の処理内容を説明する図を示す。
【００５１】
ペース計算処理は、例えばユーザが「３ｋｍ地点」や「７ｋｍ地点」などの距離表示の地点を通過してスプリットスイッチＢ２を押下した場合、或いは、ゴール地点でスタート／ストップスイッチＢ１を押下した場合に移行される処理である。
【００５２】
ペース計算処理に移行すると、まず、ＣＰＵ１０はＲＡＭ１４中に記憶されている前回のスプリットタイムと今回のスプリットタイムとから、これらの区間タイムｄｔを計算する（ステップＳ４１）。
【００５３】
次いで、ＣＰＵ１０は、上記の区間タイムｄｔと、ユーザにより設定された個人ペース設定値とから、区間距離ｄｄの推定演算を行う（ステップＳ４２）。個人ペース設定値は、ユーザの走行ペースの想定値を示すものなので、先ず、区間距離を個人ペース設定値で除算することで、想定される走行ペースで走っていた場合における区間距離が計算される。図９の例に示すように、例えば、３ｋｍ地点での距離推定では、区間タイム１５．５（分）を個人ペース設定値５（分）で除算して区間距離３．１（ｋｍ）が得られている。また、７ｋｍ地点での距離推定では、区間タイム２１．２（分）を個人ペース設定値５（分）で除算して区間距離４．２４（ｋｍ）、１５ｋｍ地点での距離推定では、区間タイム４４．９（分）を個人ペース設定値５（分）で除算して区間距離８．９８（ｋｍ）が得られている。
【００５４】
しかし、実際の走行ペースと、想定される走行ペースとでは誤差があるため、上記の除算結果の区間距離には誤差が生じているはずである。一方、このペース計算処理が実行されるタイミングは、ユーザが距離表示の地点を通過してスプリットスイッチＢ２が押した際などである。したがって、推定される区間距離としては単位距離の整数倍の距離が候補となる。それゆえ、上記除算結果の値からその端数を四捨五入する処理を行うことで、上記の誤差を除去して、推定される区間距離の候補の中から一番近い区間距離ｄｄが得られる。例えば、図９の例では、３ｋｍ地点では３．１［ｋｍ］を３［ｋｍ］に、７ｋｍ地点では４．２４［ｋｍ］を４［ｋｍ］に、１５ｋｍ地点では８．９８［ｋｍ］を９［ｋｍ］のように端数を処理して、候補中の単位距離の整数倍の距離の中から一番近い距離が得られている。
【００５５】
上記のような端数処理により、ユーザの走行ペースが予め設定した個人ペース設定値とさほどずれていない場合には、誤差をうまく除去して、正確な距離の推定値を得ることができる。例えば、図９の３ｋｍの地点や７ｋｍの地点では、誤差が除去されて、実際の距離と一致した推定距離ｄｄが得られている。一方、走行ペースが個人ペース設定値から大きくずれている場合には、誤差がうまく除去されないことも生じる。例えば、図９の１５ｋｍの地点では、推定距離ｄｄが実際の距離と１ｋｍずれてしまっている。
【００５６】
区間距離ｄｄを演算したら、続いて、ＲＡＭ１４に記憶してある前回の総距離と区間距離ｄｄとを足し合わせて総距離ｄを計算し（ステップＳ４３）、また、区間タイムｄｔを上記推定した区間距離ｄｄで除算して現在の走行ペース（区間の走行ペース）ｐを計算する（ステップＳ４４）。
【００５７】
そして、上記ステップで算出した走行距離ｄ、実際の走行ペースｐ、並びに、ＲＡＭ１４に記憶してある今回のスプリットタイムを表示部１４に表示出力する（ステップＳ４５）。
【００５８】
図１０には、ペース計算処理において表示部１４に出力される表示内容の一例と、距離修正を行った場合の表示の切り換わり内容の一例を示す。同図（ａ）はペース計算処理により最初に出力された表示例、（ｂ）はダウンスイッチを押した際の表示例である。
【００５９】
図１０（ａ）は、１５ｋｍの通過地点における表示例であるが、同図に示すように、ステップＳ４５の表示出力処理によって、第１表示領域１２ａには推定された総距離ｄ「１６ｋｍ」が、第２表示領域１２ｂには推定区間距離ｄｄ「９ｋｍ」を元に計算された走行ペースｐ「４’５９”」が、第３表示領域１２ｃにはスプリットタイム「１：２１’３５”」が、それぞれ表示出力される。ユーザはこのうちの走行ペースｐ「４’５９”」の表示を見て、スプリットスイッチＢ２が操作された直前の自分の走行ペースを確認することができる。
【００６０】
表示処理を行ったら、次に、スイッチ入力を判別するループ処理を行う（ステップＳ４６，Ｓ４８，Ｓ５０）。すなわち、距離アップスイッチＢ４または距離ダウンスイッチＢ５の押下があるか、或いは、一定時間（例えば１０秒など）何れのスイッチＢ４，Ｂ５の操作がないかを判別する。そして、何れの条件も発生しなければ、このスイッチ入力のループ処理（ステップＳ４６，Ｓ４８，Ｓ５０）を繰り返し行う。
【００６１】
ここで、距離アップスイッチＢ４と距離ダウンスイッチＢ５の押下は、ステップＳ４２の距離推定が間違っていた場合に、ユーザが距離表示を見てそれを修正するために行われるものである。上述したように、区間距離ｄｄの計算処理においては、距離の推定値が間違った値になる場合があり、例えば、図９の１５ｋｍの地点の例では、推定距離が１６ｋｍと１ｋｍずれて推定されている。
【００６２】
図１１には、ペース計算処理においてダウンスイッチが押された場合の処理内容の説明図を示す。
【００６３】
ユーザは、このような距離推定の間違いを、表示部１２の第１表示領域１２ａに表示される総距離の値と、コース上の距離表示の値とを比べることですぐに認識できるので、このような間違いがあった場合に、距離アップスイッチＢ４か、距離ダウンスイッチＢ５を押下して推定距離の修正操作を行う。
【００６４】
ここで、距離推定の間違いは、１ｋｍの整数倍の差異で生じているはずである。したがって、距離アップスイッチＢ４または距離ダウンスイッチＢ５の押下により、１ｋｍ単位で推定距離をずらす修正を行う。例えば、図１１の例では、１５ｋｍの距離表示の地点で、推定距離が１６ｋｍ（区間距離９ｋｍ）と１ｋｍ長く推定されているので、距離ダウンスイッチＢ５を１回押して、推定距離を１５ｋｍ（区間距離８ｋｍ）に修正する。推定距離が短い場合には、同様に距離アップスイッチＢ４を押して１ｋｍ長く修正することができるし、また、２ｋｍや３ｋｍなど複数ｋｍずれている場合には、スイッチＢ４，Ｂ５を複数回押すことでそれらを修正することができる。
【００６５】
上述のスイッチ判別のループ処理（ステップＳ４６，Ｓ４８，Ｓ５０：図８）において、距離アップスイッチＢ４が押下された場合には、ステップＳ４６の判別処理のイエス側に分岐して、推定総距離ｄと推定区間距離ｄｄとの値を「１」ずつ加算する処理を行う（ステップＳ４７）。これにより、推定区間距離や推定総距離が単位距離ずつ加算されて修正される。
【００６６】
また、距離ダウンスイッチＢ５が押下された場合には、ステップＳ４８の判別処理でイエス側に分岐して、推定総距離ｄと推定区間距離ｄｄとの値を「１」ずつ減算する処理を行う（ステップＳ４７）。これにより、推定区間距離や推定総距離が単位距離ずつ減算されて修正される。
【００６７】
ステップＳ４７，Ｓ４９で修正処理が行われたら、次いで、ステップＳ４４に戻って実際の走行ペースｐの計算処理からやり直す。そして、続くステップＳ４５において、修正後の総距離ｄの表示や走行ペースｐの表示が行われて、ユーザは修正内容を確認することができる。その際の表示内容の遷移は、図１０（ａ）〜（ｂ）に示すごとくである。
【００６８】
そして、推定区間が正しい値になって、或いは、初めから正しい値であって、距離アップスイッチＢ４や距離ダウンスイッチＢ５が押されないまま予め定められている一定時間（たとえば、１０秒）が経過すると、ステップＳ５０の判別処理でループ処理を抜けて、上記の演算処理により得られた総距離ｄや走行ペースｐと今回のスプリットタイムとをＲＡＭ１４に保存する（ステップＳ５１）。そして、このペース計算処理を終了する。
【００６９】
このようなペース計算処理により、ストップウォッチ動作中、ユーザが距離表示の地点を通過するときに、スプリットスイッチＢ２を押すことで、図１０（ａ）に示すように、その時点でのスプリットタイムに加え、その地点の総距離や走行ペースが表示出力されてユーザに提示されるようになっている。また、総距離の推定値が間違っている場合には、距離アップスイッチＢ４や距離ダウンスイッチＢ５を押すことで、図１０（ｂ）に示すように、総距離を修正して正しい走行ペースをユーザに提示できるようになっている。
【００７０】
以上のように、この実施形態の電子時計１によれば、ユーザはマラソンなどの競技において、スタートからストップウォッチ動作により計時を開始することで、その後、競技に有用な区間ごとの走行ペースの情報を簡単な操作で取得することができる。すなわち、コース上の距離表示があった地点でユーザがスプリットスイッチＢ２を押すことで、そこまでの走行距離や区間距離が自動的に推定され、それにより現在の走行ペース（１キロあたりの走行時間）が算出されてこれらが表示される。ユーザは、この走行ペースの表示により、現在の走行ペースがいつもより遅いか早いか、或いは、レース中の走行ペースの変動量などを直ちに判断することができる。さらに、このような機能のために測位システムなどを利用していないので、電子時計１の大型化やコストの高騰を回避できる。
【００７１】
また、距離推定の際に使用されるユーザの想定される走行ペースの値である「個人ペース設定値」は、ユーザが設定入力できるようになっているので、ユーザの能力に合わせて個人ペース設定値を設定することで、走行ペースの速いユーザから遅いユーザまで様々なユーザに対応して距離推定を行わせることができる。
【００７２】
また、距離推定の際には、区間タイムを想定される走行ペースで除算し、その値の端数を四捨五入することで、推定区間距離を得るようにしているので、負荷の小さな処理で距離の推定が可能になっている。
【００７３】
また、ユーザの体調変化により、個人ペース設定値と実際の走行ペースが大きくことなってしまった場合は距離推定が実際の走行距離と異なる場合がある。その場合には、ユーザは推定された表示と地点に表示されているスタート地点までの距離を比べてその差異を容易に確認することができ、またユーザの操作によりそれを修正することができる。さらに、修正後の走行距離の値を用いて実際の走行ペースが計算し直されるので、それによりユーザは正しい走行ペースの情報を取得することができる。また、推定距離を修正は２個のスイッチＢ４，Ｂ５を用いて単位距離ずつ距離を増減する方式で行われるので、ユーザは走行中でも簡単に推定距離の修正を行うことができる。
【００７４】
なお、上記の実施形態では、距離推定の際に、１ｋｍを単位距離とし、この単位距離の整数倍の距離を走行距離の候補として推定計算を行っているが、例えば、１マイルを単位距離としてこの単位距離の整数倍の距離を走行距離の候補として距離推定の計算を行うようにしたり、或いは、４００ｍトラックの一周分を単位距離として、この単位距離の整数倍の距離を走行距離の候補として距離推定の計算を行うようにしたりすることも出来る。また、このような単位距離をユーザが選択的に切り換えられるように構成しても良い。
【００７５】
また、上記の実施形態では、区間タイムを想定される走行ペースで除算する処理を用いて推定区間距離を算出するようにしているが、スタートからの計測時間を想定される走行ペースで除算する処理を用いてスタートからの総距離を推定計算するようにしてもよい。また、上記実施の形態では、実際の走行ペースとして、スプリットスイッチＢ２が押された区間ごとの走行ペースを算出し表示するようにしているが、スタートから通した走行ペースを算出し表示するようにすることもできる。また、これらを切り替えられるようにしてもよい。
【００７６】
また、上記の実施形態では、想定される走行ペースを「個人ペース設定値」としてユーザが設定入力できるようにしているが、予め一般的な走行ペースの値を装置に設定しておき、この値を用いて距離推定を行うように構成することも出来る。また、上記実施の形態では、ストップウォッチの計時スタートから終了まで、想定される走行ペースを固定値として距離推定の計算に用いているが、例えば、計時スタートから終了にかけて走行ペースに既知の変化パターンがある場合には、この変化パターンに合わせて想定される走行ペースの値を設定値から変化させて距離推定の計算に用いるようにしてもよい。
【００７７】
［第２実施形態］
図１２と図１３には、本発明の第２実施形態の電子時計に備わるペース計算処理のフローチャートを示す。
【００７８】
第２実施形態の電子時計は、推定距離の修正時において推定距離の候補として、単位距離の整数倍の距離に加えて、次の特別な距離を追加したものである。通常、マラソンコース上の距離表示は、１ｋｍの任意の整数倍の距離地点で行われ、半端な距離では行われない。しかしながら、例えば、フルマラソンのゴール地点である４２．１９５ｋｍと、ハーフマラソンのゴール地点である２１．０９８ｋｍだけば、距離表示と同様にランナーにより認識可能な距離となる。したがって、推定距離の修正時に、推定距離の候補となる距離すなわち修正可能な推定距離として、上記の２１．０９８ｋｍと４２．１９５ｋｍとを加えたものである。その他の構成は第１実施形態と同様であり、同様の構成は説明を省略する。
【００７９】
特別な距離を推定距離の修正候補に加えるため、第２実施形態ではペース計算処理のフローチャートの一部を、第１実施形態のものから変更している。すなわち、図１２，図１３に示すように、ステップＳ４１〜Ｓ４６，Ｓ４８，Ｓ５０，Ｓ５１までは第１実施形態のものと同様であり、修正操作である距離アップスイッチＢ４が押された場合のステップＳ４６からの分岐処理と、距離ダウンスイッチＢ５が押された場合のステップＳ４８からの分岐処理を変更している。
【００８０】
第２実施形態のペース計算処理では、距離アップスイッチＢ４が押されてステップＳ４６の判別処理でイエス側に分岐すると、図１３に示すように、先ず、推定距離として選択されている総距離ｄが、推定距離を長く修正する際に上記の特別な距離「２１．０９８ｋｍ」，「４２．１９５ｋｍ」に関係する距離であるか否かを判別する（ステップＳ６１〜Ｓ６４）。
【００８１】
そして、これらの特別な距離に関係した距離でなければ、ステップＳ６９に移行して推定された総距離ｄや区間距離ｄｄに「１」加算する処理を行うが、特別な距離に関係した距離（ｄ＝２１，２１．０９８，４２，４２．１９５）であれば、ステップＳ６１〜Ｓ６４の何れかの判別処理でイエス側に分岐して、現在選択されている総距離ｄに対応した小数点以下の数値を含んだ値を加算して修正後の総距離ｄと区間距離ｄｄを得る（ステップＳ６５〜Ｓ６８の何れか）。そして、距離の加算処理が済んだら、第１実施形態と同様にステップＳ４４に戻る。
【００８２】
一方、距離ダウンスイッチＢ５が押されてステップＳ４８の判別処理でイエス側に分岐すると、図１３に示すように、先ず、推定距離として選択されている総距離ｄが、推定距離を短く修正する際に上記の特別な距離「２１．０９８ｋｍ」，「４２．１９５ｋｍ」に関係する距離であるか否かを判別する（ステップＳ７１〜Ｓ７４）。
【００８３】
そして、特別な距離に係る距離でなければ、ステップＳ７９に移行して推定された総距離ｄや区間距離ｄｄを「１」減算する処理を行うが、特別な距離に関係する距離（ｄ＝２１．０９８，２２，４２．１９５，４３）であれば、ステップＳ７１〜Ｓ７４の何れかの判別処理でイエス側に分岐して、現在選択されている総距離ｄに対応した小数点以下の数値を含んだ値を減算して修正後の総距離ｄと区間距離ｄｄとを得る（ステップＳ７５〜Ｓ７８の何れか）。そして、距離の減算処理が済んだら、第１実施形態と同様にステップＳ４４に戻る。
【００８４】
このようなペース計算処理により、ユーザは総距離の推定値を修正する際に、距離アップスイッチＢ４や距離ダウンスイッチＢ５を押すことで、総距離が１ｋｍ単位で長く修正されたり短く修正されるとともに、特別な距離「２１．０９８ｋｍ」，「４２．１９５ｋｍ」の前後では、２１ｋｍ→２１．０９８ｋｍ→２２ｋｍ、４２ｋｍ→４２．１９５ｋｍ→４３ｋｍ、またその逆に、４２ｋｍ→４２．１９５ｋｍ→４３ｋｍ、２２ｋｍ→２１．０９８ｋｍ→２１ｋｍのように、特別な距離を含めた状態で推定距離の修正が可能になっている。
【００８５】
この第２実施形態の電子時計によれば、例えば、ハーフマラソンやフルマラソンのゴール地点など、単位距離の整数倍の距離とは異なる特別な距離についても、推定距離の候補としてユーザにより修正選択させることが出来る。したがって、このような距離地点においても、正確な走行ペースの演算を行ってユーザに提示することができる。
【００８６】
なお、第２実施形態では、修正時の推定距離の候補にのみ特別な距離を追加するように構成しているが、距離推定の演算時にこのような特別な距離を推定距離の候補として追加することもできる。その場合、推定区間距離ｄｄの計算処理（図１２のステップＳ４２）において、除算後の値を単に四捨五入するのではなく、除算後の値から端数を含めたまま総距離の推定距離を算出し、この端数を含んだ総距離の推定値が、特別な距離を含めた推定距離の候補（１ｋｍの整数倍、２１．０９８ｋｍ、４２．１９５ｋｍ）のうち何れに一番近いかを判別して、その値を推定距離として決定するように構成すれば良い。
【００８７】
［第３実施形態］
図１４は、本発明の第３実施形態の電子時計に備わるペース計算処理の処理手順を示すフローチャートである。
【００８８】
第３実施形態の電子時計は、推定区間距離ｄｄの計算処理で使用する走行ペースの値を、第１実施形態のものと異ならせるようにしたもので、その他の構成は第１実施形態と同様である。同様の構成については説明を省略する。
【００８９】
図１４に示すように、この第３実施形態のペース計算処理では、その推定区間距離ｄｄの算出処理（ステップＳ８２）において、区間タイムｄｔを除算する走行ペースの値として、１回目の距離推定の計算処理ではＲＡＭ１４の記憶領域１４ａに設定された個人ペース設定値を使用する一方、２回目以降の距離推定の計算処理からは、前回のペース計算処理にて算出されＲＡＭ１４に記憶されている前回の走行ペースｐの値を使用するようにしている。
【００９０】
その他の処理は、図８の第１実施形態のペース計算処理と同様である。
【００９１】
このような構成とすることで、コース状況の変化やランナーの体調の変化などにより走行ペースが徐々に変化して、実際の走行ペースが個人ペース設定値から大きくずれてしまうような状況になっても、常に、最新の走行ペースを元に距離推定の計算が行われるので、誤った距離推定がなされる可能性を少なくすることができる。また、たとえ誤って推定された場合でも、その誤り量は小さい値となって、少ない操作で正しい距離に修正することが可能となる。
【００９２】
なお、この第３実施形態では、前回の走行ペースの値を用いて推定区間距離ｄｄの計算処理を行うようにしているが、走行ペースに距離や時間に応じた既知の変化パターンがある場合には、この変化パターンに合わせて想定される走行ペースの値を前回の走行ペースの値から少しずらして推定区間距離ｄｄの計算処理に使用するようにしても良い。
【００９３】
また、上記第１〜第３実施形態では腕時計型の電子時計にストップウォッチ機能を搭載した構成について説明したが、種々の形態のストップウォッチ装置に本発明を適用することもできる。その他、実施の形態で示した細部構成および処理方法は、発明の趣旨を逸脱しない範囲で適宜変更可能である。
【図面の簡単な説明】
【００９４】
【図１】本発明の第１実施形態のストップウォッチ機能を有する電子時計の内部構成を示すブロック図である。
【図２】図１の電子時計の外観を示す正面図である。
【図３】ＣＰＵにより実行されるメイン制御処理の処理手順を示すフローチャートである。
【図４】図３のステップＳ４のペース設定ルーチンの処理手順を示すフローチャートである。
【図５】ペース設定モードでの表示内容の一例を示す正面図である。
【図６】図３のステップＳ５のストップウォッチ動作ルーチンの処理手順を示すフローチャートである。
【図７】ストップウォッチ動作中の表示内容の一例を示す正面図である。
【図８】図６のステップＳ２９，Ｓ３２のペース計算処理の処理手順を示すフローチャートである。
【図９】ペース計算処理の内容の一例を示す説明図である。
【図１０】ペース計算処理で距離修正を行う際の表示の切り換わりの一例を示すもので、（ａ）はダウンスイッチを押す前、（ｂ）はダウンスイッチを押した後の表示内容の一例を示す説明図である。
【図１１】ペース計算処理においてダウンスイッチが押された場合の処理内容の一例を示す説明図である。
【図１２】本発明の第２実施形態の電子時計に備わるペース計算処理の処理手順を示すフローチャートの一部である。
【図１３】本発明の第２実施形態の電子時計に備わるペース計算処理の処理手順を示すフローチャートの残りの部分である。
【図１４】本発明の第３実施形態の電子時計に備わるペース計算処理の処理手順を示すフローチャートである。
【符号の説明】
【００９５】
１        電子時計
１０      ＣＰＵ
１２      表示部
１３      ROM
１４      RAM
１４ａ    個人ペース設定値の記憶領域
１５      計時回路
１５ｂ    計測時間カウンタ
１６      発振回路
１８      操作部
Ｂ１〜Ｂ５  スイッチ
【図１】
0005067230.tif 000002
【図２】
0005067230.tif 000003
【図３】
0005067230.tif 000004
【図４】
0005067230.tif 000005
【図５】
0005067230.tif 000006
【図６】
0005067230.tif 000007
【図７】
0005067230.tif 000008
【図８】
0005067230.tif 000009
【図９】
0005067230.tif 000010
【図１０】
0005067230.tif 000011
【図１１】
0005067230.tif 000012
【図１２】
0005067230.tif 000013
【図１３】
0005067230.tif 000014
【図１４】
0005067230.tif 000015